(57)【要約】  本発明の一実施形態による電子装置は、第１方向への第１アンテナ、第２方向への第２アンテナ及び全方向への第３アンテナを用いて通信を行うトランシーバと、第１アンテナ、第２アンテナ及び第３アンテナの活性化／非活性化をスイッチングするスイッチ部と、及び第３アンテナを活性化して全方向で通信を行う間に、第１方向に位置するモバイル端末に対して第１イベントが発生すると、第３アンテナを非活性化して第２アンテナを活性化するようにスイッチ部とを制御する制御部と、含むことができる。
2018536329.tif 000002
【特許請求の範囲】
【請求項１】
電子装置であって、
第１方向への第１アンテナ、第２方向への第２アンテナ及び全方向への第３アンテナを用いて通信を行うトランシーバと、
前記第１アンテナ、前記第２アンテナ及び前記第３アンテナの活性化／非活性化をスイッチングするスイッチ部と、及び
前記第３アンテナを活性化して全方向で通信を行う間に、前記第１方向に位置するモバイル端末に対して第１イベントが発生すると、前記第３アンテナを非活性化して前記第２アンテナを活性化するように前記スイッチ部を制御する制御部と、を含む電子装置。
【請求項２】
前記制御部は、
前記第２アンテナが活性化され、前記モバイル端末が前記第２方向で移動したことで判断されると、前記第２アンテナを非活性化して前記第３アンテナを活性化するように制御することを特徴とする、請求項１に記載の電子装置。
【請求項３】
前記制御部は,
前記第３アンテナを活性化して全方向で通信を行って前記モバイル端末が前記第２方向に位置する間に、第２イベントが発生すると、前記第３ アンテナを非活性化して前記第１アンテナを活性化するように前記スイッチ部を制御することを特徴とする、請求項２に記載の電子装置。
【請求項４】
前記制御部は、
前記第２アンテナが活性化され、前記モバイル端末が前記第２方向で移動したことで判断されると、前記電子装置の状態を第１状態から第２状態に遷移するように制御することを特徴とする、請求項１に記載の電子装置。
【請求項５】
前記第１イベントは、
前記モバイル端末からルームキー(ｒｏｏｍ ｋｅｙ)情報を前記第３アンテナを介して受信するイベントであり、
前記制御部は、
前記第３アンテナを用いてルームナンバー情報を送信するように制御し、前記第３アンテナを介して前記ルームキー情報が受信されると、前記第３アンテナを非活性化して前記第２アンテナを活性化するように前記スイッチ部を制御することを特徴とする、請求項１に記載の電子装置。
【請求項６】
前記制御部は、
前記第２アンテナが活性化され、
前記モバイル端末から前記第２アンテナを介してコンファームメッセージ(ｃｏｎｆｉｒｍ ｍｅｓｓａｇｅ)が受信されると、前記モバイル端末が前記第２方向で移動したことで判断し、前記第２アンテナを非活性化して前記第３アンテナを活性化するように制御することを特徴とする、請求項１に記載の電子装置。
【請求項７】
前記第２イベントはドアオープン(ｄｏｏｒ ｏｐｅｎ)イベントであり、
前記制御部は、
前記第１アンテナが活性化され、前記第１アンテナを介して前記モバイル端末からスレショルド時間以内にコンファームメッセージ(ｃｏｎｆｉｒｍ ｍｅｓｓａｇｅ)が受信された場合、前記第１アンテナを非活性化して前記第３アンテナを活性化することを特徴とする、請求項３に記載の電子装置。
【請求項８】
モバイル端末であって、
電子装置と近距離通信を行い、近接(ｐｒｏｘｉｍｉｔｙ)機能を含む近距離トランシーバと、及び
予め設定されたイベントが発生し、前記電子装置から状態情報メッセージを受信する場合、前記受信された状態情報メッセージに基づいて前記近接機能の活性化／非活性化を制御して前記モバイル端末の状態を変更するように制御する制御部と、を含むモバイル端末。
【請求項９】
前記制御部は、
前記近接機能が活性化されている間に、前記近距離トランシーバを介して電子装置とキー情報交換が行われた後、スレショルド時間内に前記電子装置から第１状態情報メッセージを受信する場合、前記近接機能を非活性化して前記モバイル端末の状態を第１状態に変更するように制御することを特徴とする、請求項８に記載のモバイル端末。
【請求項１０】
前記制御部は、
前記近接機能が非活性化されている間に、前記近距離トランシーバを介して第２状態情報メッセージを受信する場合、前記モバイル端末の状態を第２状態に変更して前記近接機能を活性化するように制御することを特徴とする、請求項８に記載のモバイル端末。
【請求項１１】
第１方向への第１アンテナ、第２方向への第２アンテナ及び全方向への第３アンテナを含む電子装置の制御方法であって、
前記第３アンテナを活性化して全方向で通信を行う段階と、及び
前記第１方向に位置するモバイル端末に対して第１イベントが発生した場合、前記第３アンテナを非活性化して前記第２アンテナを活性化する段階と、を含む方法。
【請求項１２】
前記第２アンテナが活性化され、前記モバイル端末が前記第２方向で移動したことで判断されると、前記第２のアンテナを非活性化し、前記第３のアンテナを活性化する段階と、及び
前記第２アンテナが活性化され、前記モバイル端末が前記第２方向で移動したことで判断されると、前記電子装置の状態を第1状態から第２状態に遷移する段階と、
前記モバイル端末から前記第２アンテナを介してコンファームメッセージ（ｃｏｎｆｉｒｍ ｍｅｓｓａｇｅ）を受信すると、前記モバイル端末が前記第２方向で移動したことで判断し、第２アンテナを非活性化し、前記第３アンテナを活性化する段階と、をさらに含み、
前記第１イベントは、前記モバイル端末からルームキー(ｒｏｏｍ ｋｅｙ)情報を前記第３アンテナを介して受信するイベントであり、
前記第３アンテナを非活性化して前記第２アンテナを活性化する段階は、
前記第３アンテナを用いてルームナンバー情報を送信するように制御し、前記第３アンテナを介して前記ルームキー情報が受信されると、第３アンテナを非活性化して前記第２アンテナを活性化することを特徴とする、請求項１１に記載の方法。
【請求項１３】
前記第３アンテナを活性化して全方向で通信を行って前記のモバイル端末が前記第２方向に位置する間に第２イベントが発生すると、第３アンテナを非活性して前記第１アンテナを活性化する段階をさらに含み、
前記第２イベントは、ドアオープン（ｄｏｏｒ ｏｐｅｎ）イベントであり、
前記第３アンテナを非活性して前記第１アンテナを活性化する段階は、
前記第１アンテナが活性化され、前記第１アンテナを介して前記モバイル端末からスレショルド時間以内にコンファームメッセージ（ｃｏｎｆｉｒｍ ｍｅｓｓａｇｅ）が受信された場合には、前記第１アンテナを非活性して前記第３アンテナを活性化することを特徴とする、請求項１２に記載の方法。
【請求項１４】
モバイル端末の制御方法であって、
予め設定されたイベントが発生し、電子装置から近距離通信部の近接（ｐｒｏｘｉｍｉｔｙ）機能を用いて状態情報メッセージを受信する段階と、
前記受信された状態情報メッセージに基づいて前記近接機能の活性化／非活性化を制御し、前記モバイル端末の状態を変更する段階と、を含む方法。
【請求項１５】
前記変更する段階は、
前記近接機能が活性化されている間に、前記近距離通信部を介して電子装置とキー情報の交換が行われた後、スレショルド時間内に前記電子装置から第１状態情報メッセージを受信する場合、前記近接機能を非活性化して前記モバイル端末の状態を第１状態に変更するように制御し、
前記近接機能が非活性化されている間に、前記近距離通信部を介して第２状態情報メッセージを受信する場合には、前記モバイル端末の状態を第２状態に変更し、前記近接機能を活性化するように制御することを特徴とする、請求項１４に記載の方法。
【発明の詳細な説明】
【技術分野】
【０００１】
本発明は、電子装置、関連するモバイル端末、及びこの制御方法に関する。より具体的に、本発明においては複数のアンテナを含む電子装置及び前記電子装置と通信を行って状態を変更するモバイル端末を提案する。
【背景技術】
【０００２】
インターネットは、人間が情報を生成して消費する人間中心の連結網から事物などの分散した構成要素の間に情報を取り交わして処理するＩｏＴ(Ｉｎｔｅｒｎｅｔ ｏｆ Ｔｈｉｎｇｓ、モノのインターネット)網に進化しつつある。クラウドサーバーなどとの接続を通じるビックデータ(Ｂｉｇ ｄａｔａ)処理技術などがＩｏＴ技術に結合されたＩｏＥ(Ｉｎｔｅｒｎｅｔ ｏｆ Ｅｖｅｒｙｔｈｉｎｇ)技術も現れている。ＩｏＴを具現するためにセンシング技術、有無線通信及びネットワークインフラ、サービスインターフェース技術、及び保安技術のような技術要素が求められ、近年には事物間の接続のためのセンサーネットワーク(ｓｅｎｓｏｒｎｅｔｗｏｒｋ)、マシンツーマシン(Ｍａｃｈｉｎｅ ｔｏ Ｍａｃｈｉｎｅ、Ｍ２Ｍ)、ＭＴＣ(Ｍａｃｈｉｎｅ Ｔｙｐｅ Ｃｏｍｍｕｎｉｃａｔｉｏｎ)などの技術が研究されている。
【０００３】
ＩｏＴ環境では接続された事物で生成されたデータを収集、分析して人間の生活に新しい価値を創出する知能型ＩＴ(Ｉｎｔｅｒｎｅｔ Ｔｅｃｈｎｏｌｏｇｙ)サービスが提供されることができる。ＩｏＴは既存のＩＴ(ｉｎｆｏｒｍａｔｉｏｎ ｔｅｃｈｎｏｌｏｇｙ)技術と多様な産業間の融合及び複合を介してスマートホーム、スマートビルディング、スマートシティ、スマートカー又はコネクテッドカー、スマートグリッド、ヘルスケア、スマート家電、先端医療サービスなどの分野に応用されることができる。
【０００４】
一方、ホテルのような宿泊施設で客室の環境を快適に維持するためにユーザの在室可否を検出するための技術が必要である。
【０００５】
そして、ユーザはカードキーのような形態のキーを用いて客室のドアを開くことができる。近年、モバイル端末の使用が普遍化され、ユーザのモバイル端末にドアを開くためのキーの情報を記憶して客室のドアを開くことができる。
【０００６】
したがって、客室のドアに設置されたドアロックのような電子装置はユーザのモバイル端末と通信を行い、ユーザの客室の出入り可否を判断することができる。
【０００７】
一方、単純に客室のドアのロック機能だけでなく、上述したように、モバイル端末との通信などを行うスマート機能を搭載したドアロックの場合、電力消耗量が増加する。近年、大型ホテルの増加によりホテルに含まれた客室の数が多い場合が一般的で、ドアロックの全体個数も増加し、ホテルはドアロックの電力消耗量を減少させる必要がある。
【０００８】
したがって、ユーザの客室出入り可否を正確に判断しながら、ドアロックの電力消耗量は減少させるための発明の必要性が台頭した。
【発明の概要】
【発明が解決しようとする課題】
【０００９】
本発明が達成しようとする技術的課題は、モバイル端末を所持したユーザの位置を判断するための電子装置及びこの電力消耗量を最小化するための方法を提供することである。
【課題を解決するための手段】
【００１０】
本発明の一実施形態による電子装置は、第１方向への第１アンテナ、第２方向への第２アンテナ及び全方向への第３アンテナを用いて通信を行うトランシーバと、前記第１アンテナ、前記第２アンテナ及び前記第３アンテナの活性化／非活性化をスイッチングするスイッチ部と、及び前記第３アンテナを活性化して全方向へ通信を行う間に、前記第１方向に位置するモバイル端末に対して第１イベントが発生すると、前記第３アンテナを非活性化して前記第２アンテナを活性化するように前記スイッチ部を制御する制御部と、を含むことができる。
【００１１】
そして、前記制御部は、前記第２アンテナが活性化され、前記モバイル端末が前記第２方向へ移動したことで判断されると、前記第２アンテナを非活性化し、前記第３アンテナを活性化するように制御することを特徴とする。
【００１２】
一方、前記制御部は、前記第３アンテナを介して全方向の通信を行って前記モバイル端末が前記第２方向に位置する間に第２イベントが発生すると、前記第３アンテナを非活性化して前記第１アンテナを活性化するように前記スイッチ部を制御することを特徴とする。
【００１３】
そして、前記制御部は、前記第２アンテナが活性化され、前記モバイル端末が前記第２方向へ移動したことで判断されると、前記電子装置の状態を第１状態から第２状態に遷移するように制御することを特徴とする。
【００１４】
一方、前記第１イベントは、前記モバイル端末からルームキー(ｒｏｏｍ ｋｅｙ)情報を前記第３アンテナを介して受信するイベントであり、前記制御部は、前記第３アンテナを用いてルームナンバー情報を送信するように制御し、前記第３アンテナを介して前記ルームキー情報が受信されると、前記第３アンテナを非活性化して前記第２アンテナを活性化するように前記スイッチ部を制御することを特徴とする。
【００１５】
そして、前記制御部は、前記第２アンテナが活性化され、前記モバイル端末から前記第２アンテナを介してコンファームメッセージ(ｃｏｎｆｉｒｍ ｍｅｓｓａｇｅ)が受信されると、前記モバイル端末が前記第２方向へ移動したことで判断し、前記第２アンテナを非活性化して前記第３アンテナを活性化するように制御することを特徴とする。
【００１６】
一方、前記第２イベントは、ドアオープン(ｄｏｏｒ ｏｐｅｎ)イベントであり、前記制御部は、前記第１アンテナが活性化され、前記第１アンテナを介して前記モバイル端末からスレショルド時間以内にコンファームメッセージ(ｃｏｎｆｉｒｍ ｍｅｓｓａｇｅ)が受信された場合、前記第１アンテナを非活性化して前記第３アンテナを活性化することを特徴とする。
【００１７】
一方、本発明の一実施形態によるモバイル端末は、電子装置と近距離通信を行い、近接(ｐｒｏｘｉｍｉｔｙ)機能を含む近距離トランシーバ及び予め設定されたイベントが発生し、前記電子装置から状態情報メッセージを受信する場合、前記受信された状態情報メッセージに基づいて前記近接機能の活性化／非活性化を制御して前記モバイル端末の状態を変更するように制御する制御部を含むことができる。
【００１８】
そして、前記制御部は、前記近接機能が活性化されている間に、前記近距離トランシーバを介して電子装置とキー情報交換が行われた後、スレショルド時間内に前記電子装置から第１状態情報メッセージを受信する場合、前記近接機能を非活性化して前記モバイル端末の状態を第１状態に変更するように制御することを特徴とする。
【００１９】
一方、前記制御部は、前記近接機能が非活性化されている間に、前記近距離トランシーバを介して第２状態情報メッセージを受信する場合、前記モバイル端末の状態を第２状態で変更して前記近接機能を活性化するように制御することを特徴とする。
【００２０】
一方、本発明の一実施形態によって、第１方向への第１アンテナ、第２方向への第２アンテナ及び全方向への第３アンテナを含む電子装置の制御方法は、前記第３アンテナを介して全方向の通信を行う段階及び前記第１方向に位置するモバイル端末に対して第１イベントが発生した場合、前記第３アンテナを非活性化して前記第２アンテナを活性化する段階を含むことができる。
【００２１】
そして、前記第２アンテナが活性化され、前記モバイル端末が前記第２方向で移動したことで判断されると、前記第２アンテナを非活性化し、前記第３アンテナを活性化する段階をさらに含むことができる。
【００２２】
一方、前記第３アンテナを介して全方向で通信を行って前記モバイル端末が前記第２方向に位置する間に第２イベントが発生すると、前記第３アンテナを非活性化して前記第１アンテナを活性化する段階をさらに含むことができる。
【００２３】
そして、前記第２アンテナが活性化され、前記モバイル端末が前記第２方向で移動したことで判断されると、前記電子装置の状態を第１状態から第２状態に遷移する段階をさらに含むことができる。
【００２４】
一方、前記第１イベントは、前記モバイル端末からルームキー(ｒｏｏｍ ｋｅｙ)情報を前記第３アンテナを介して受信するイベントであり、前記第３アンテナを非活性化して前記第２アンテナを活性化する段階は、前記第３アンテナを用いてルームナンバー情報を送信するように制御し、前記第３アンテナを介して前記ルームキー情報が受信されると、前記第３アンテナを非活性化して前記第２アンテナを活性化すること特徴とする。
【００２５】
そして、前記モバイル端末から前記第２アンテナを介してコンファームメッセージ(ｃｏｎｆｉｒｍ ｍｅｓｓａｇｅ)が受信されると、前記モバイル端末が前記第２方向で移動したことで判断し、前記第２アンテナを非活性化して前記第３アンテナを活性化する段階をさらに含むことができる。
【００２６】
一方、前記第２イベントはドアオープン(ｄｏｏｒ ｏｐｅｎ)イベントであり、前記第３アンテナを非活性化して前記第１アンテナを活性化する段階は、前記第１アンテナが活性化され、前記第１アンテナを介して前記モバイル端末からスレショルド時間以内にコンファームメッセージ(ｃｏｎｆｉｒｍ ｍｅｓｓａｇｅ)が受信された場合、前記第１アンテナを非活性化して前記第３アンテナを活性化することを特徴とする。
【００２７】
一方、本発明の一実施形態によるモバイル端末の制御方法は、予め設定されたイベントが発生し、電子装置から近距離トランシーバの近接(ｐｒｏｘｉｍｉｔｙ)機能を用いて状態情報メッセージを受信する段階及び前記受信された状態情報メッセージに基づいて前記近接機能の活性化／非活性化を制御し、前記モバイル端末の状態を変更する段階を含むことができる。
【００２８】
そして、前記変更する段階は、前記近接機能が活性化されている間に、前記近距離トランシーバを介して電子装置とキー情報交換が行われた後、スレショルド時間内に前記電子装置から第１状態情報メッセージを受信する場合、前記近接機能を非活性化して前記モバイル端末の状態を第１状態で変更するように制御することができる。
【００２９】
一方、前記変更する段階は、前記近接機能が非活性化されている間に、前記近距離トランシーバを介して第２状態情報メッセージを受信する場合、前記モバイル端末の状態を第２状態に変更して前記近接機能を活性化するように制御することができる。
【発明の効果】
【００３０】
本発明の実施形態によれば、電子装置は複数個のアンテナを用いてモバイル端末を所持したユーザの位置を正確に判断しながらも、電力消耗量を減らすことができるようになる。
【図面の簡単な説明】
【００３１】
【図１Ａ】本発明の一実施形態による電子装置の構造及び構成に対して示した図面である。
【図１Ｂ】本発明の一実施形態による電子装置の構造及び構成に対して示した図面である。
【図２】本発明の一実施形態によって電子装置の構成要素を示したブロック図である。
【図３】本発明の一実施形態によってモバイル端末の構成要素を示したブロック図である。
【図４Ａ】本発明の一実施形態によるモバイル端末が電子装置と通信を行って第１方向から第２方向で移動する方法を説明するための図面である。
【図４Ｂ】本発明の一実施形態によるモバイル端末が電子装置と通信を行って第１方向から第２方向で移動する方法を説明するための図面である。
【図４Ｃ】本発明の一実施形態によるモバイル端末が電子装置と通信を行って第１方向から第２方向で移動する方法を説明するための図面である。
【図５Ａ】本発明の一実施形態によるモバイル端末が電子装置と通信を行って第２方向から第１方向で移動する方法を説明するための図面である。
【図５Ｂ】本発明の一実施形態によるモバイル端末が電子装置と通信を行って第２方向から第１方向で移動する方法を説明するための図面である。
【図５Ｃ】本発明の一実施形態によるモバイル端末が電子装置と通信を行って第２方向から第１方向で移動する方法を説明するための図面である。
【図６】本発明の一実施形態による電子装置の制御方法を示したフローチャートである。
【図７】本発明の一実施形態によるモバイル端末がドアの外側から内側に移動するように制御する電子装置の制御方法を示したフローチャートである。
【図８】本発明の一実施形態によるモバイル端末がドアの外側から内側に移動する方法を示したフローチャートである。
【図９】本発明の一実施形態によるモバイル端末がドアの内側から外側に移動するように制御する電子装置の制御方法を示したフローチャートである。
【図１０】本発明の一実施形態によるモバイル端末がドアの内側から外側に移動する方法を示したフローチャートである。
【図１１Ａ】本発明の一実施形態による第１モバイル端末が第２方向に位置する間に、第２モバイル端末が電子装置と通信を行って、第１方向から第２方向で移動する方法を説明するための図面である。
【図１１Ｂ】本発明の一実施形態による第１モバイル端末が第２方向に位置する間に、第２モバイル端末が電子装置と通信を行って、第１方向から第２方向で移動する方法を説明するための図面である。
【図１１Ｃ】本発明の一実施形態による第１モバイル端末が第２方向に位置する間に、第２モバイル端末が電子装置と通信を行って、第１方向から第２方向で移動する方法を説明するための図面である。
【図１２Ａ】本発明の一実施形態による第１モバイル端末及び第２モバイル端末が第２方向に位置する間に、第２モバイル端末が第２方向から第１方向で移動する方法を説明するための図面である。
【図１２Ｂ】本発明の一実施形態による第１モバイル端末及び第２モバイル端末が第２方向に位置する間に、第２モバイル端末が第２方向から第１方向で移動する方法を説明するための図面である。
【図１３Ａ】本発明の一実施形態による第１モバイル端末及び第２モバイル端末が第１方向に位置する間に、任意のモバイル端末が電子装置と通信を行い、第１方向から第２方向で移動する方法を説明するための図面である。
【図１３Ｂ】本発明の一実施形態による第１モバイル端末及び第２モバイル端末が第１方向に位置する間に、任意のモバイル端末が電子装置と通信を行い、第１方向から第２方向で移動する方法を説明するための図面である。
【図１３Ｃ】本発明の一実施形態による第１モバイル端末及び第２モバイル端末が第１方向に位置する間に、任意のモバイル端末が電子装置と通信を行い、第１方向から第２方向で移動する方法を説明するための図面である。
【図１４Ａ】本発明の一実施形態による第１モバイル端末及び第２モバイル端末が同時に第１方向から第２方向で移動する方法を説明するための図面である。
【図１４Ｂ】本発明の一実施形態による第１モバイル端末及び第２モバイル端末が同時に第１方向から第２方向で移動する方法を説明するための図面である。
【図１５Ａ】本発明の一実施形態によるモバイル端末及びドアロック間の距離及び距離による受信信号強度インジケータ(ＲＳＳＩ)の関係を示す図面である。
【図１５Ｂ】本発明の一実施形態によるモバイル端末及びドアロック間の距離及び距離による受信信号強度インジケータ(ＲＳＳＩ)の関係を示す図面である。
【図１６】本発明の一実施形態によるモバイル端末がＲＳＳＩを測定してドアオープン動作を行う方法を示すフローチャートである。
【発明を実施するための形態】
【００３２】
以下、添付された図面を参照し、本発明の実施形態について説明する。 以下で当技術分野において周知であり、本開示とは直接関係のない技術的内容は本開示の主題を不明瞭にすることを避けるために、詳しく記述されたり例示されないことがある。 図面を通じて一部要素は誇張されたり省略されたり、または概略的に示されている。 同一又は類似の参照番号は対応する特徴を一貫して示す。
【００３３】
本開示の利点および特徴、ならびにそれらを達成するための方法は、図面と共に実施形態をを参照して明らかになるだろう。しかし、本開示は本明細書に記載された例示的な実施形態に限定されず、多くの異なる形態で実施されてもよい。 むしろ、開示の例示的な実施形態は本開示の理解を助けるために提供される。
【００３４】
第１、第２などの用語は多様な構成要素を説明するのに用いられることができるが、構成要素は用語によって限定されてはいけない。用語は一つの構成要素を他の構成要素から区別する目的だけで用いられる。
【００３５】
本出願において用いられた用語は、ただ特定の実施形態を説明するために用いられたことで、権利範囲を限定しようとする意図ではない。単数の表現は文脈上、明白に異なるように意図しない限り、複数の表現を含む。本出願において、“含む”又は“構成される”などの用語は明細書上に記載した特徴、数字、段階、動作、構成要素、部品又はこれらを組み合わせたものが存在することを指定しようとすることで、一つ又はその以上の他の特徴や数字、段階、動作、構成要素、部品又はこれらを組み合わせたものなどの存在又は付加可能性を予め排除しないことで理解されなければならない。
【００３６】
実施形態において、‘モジュール’又は‘部’は少なくとも一つの機能や動作を行い、ハードウェア又はソフトウェアで具現されたりハードウェアとソフトウェアの結合で具現されることができる。また、複数の‘モジュール’又は複数の‘部’は特定のハードウェアで具現される必要がある‘モジュール’又は‘部’を除いては少なくとも一つのモジュールで一体化されて少なくとも一つのプロセッサ(図示せず)で具現されることができる。
【００３７】
図１Ａは、本発明の一実施形態によってドアロック(ｄｏｏｒ lｏｃｋ)で具現された電子装置１００を示した図面である。ドアロックは、家庭、事務室又はホテルのような宿泊施設の各ルームのドアを閉ざすために設置されることができる。しかし、これは一実施形態に過ぎないだけ、電子装置１００は外部の他の電子装置と通信を行うことができる多様な形態の装置で具現されることができる。
【００３８】
電子装置１００は、第１方向への第１アンテナ、第２方向への第２アンテナ及び全方向への第３アンテナを含むことができる。
【００３９】
例えば、電子装置１００がルームのドアに設置されたドアロックの場合、第１方向はルームの外側方向で、第２方向はルームの内側方向であることができる。したがって、電子装置１００は第１方向の第１アンテナ又は全方向の第３アンテナを用いてルームの外側方向の他の電子装置と通信を行うことができる。そして、電子装置１００は第２方向の第２アンテナ又は全方向の第３アンテナを用いてルームの内側方向の他の電子装置と通信を行うことができる。
【００４０】
具体的に、電子装置１００であるドアロックは、図１Ｂに示されたように第１アンテナ１１０−１、第２アンテナ１１０−２、第３アンテナ１１０−３、スイッチ１２０及びスイッチコントローラー１３０を含むことができる。
【００４１】
電子装置１００は、スイッチコントローラー１３０により、第１アンテナ１１０−１、第２アンテナ１１０−２及び第３アンテナ１１０−３のそれぞれの活性化／非活性化を制御するスイッチ１２０を含むことができる。
【００４２】
一般的に、ホテルのような宿泊施設でユーザの再室可否を検出してルームの内のコンディションを制御することができる。例えば、ユーザがルームの内に存在しないことで判断されると、ホテルはルーム内の冷暖房を制御してエネルギーを節減することができる。
【００４３】
前記ホテルで電子装置１００であるドアロックが上述したように複数のアンテナを含む場合、電子装置１００はユーザが所持するモバイル端末が前記複数のアンテナを介して通信を行う方向を検出することによってユーザの位置を判断することができる。
【００４４】
ただ、電子装置１００は複数のアンテナを含んで通信を行うので、電力消耗量が増加するようになる。したがって、第１アンテナ１１０−１、第２アンテナ１１０−２及び第３アンテナ１１０−３のそれぞれの活性化／非活性化を制御するためのスイッチ１２０及びスイッチコントローラー１３０が必要となる。
【００４５】
以下、図２を参照して電力消耗量は減少させながらユーザの位置は容易に判断するための電子装置に対して具体的に説明する。図２の電子装置は本発明の一実施形態によって、ホテルのルームドアに設置されたドアロック２００で仮定して説明する。
【００４６】
ドアロック２００は、トランシーバ２１０、スイッチ部２２０、電源部２３０、メモリー２４０及び制御部２５０を含むことができる。
【００４７】
トランシーバ２１０は、他の電子装置と通信を行うための構成要素である。例えば、ドアロック２００はトランシーバ２１０を介してユーザが所持したスマートフォンと通信を行うことができる。  
【００４８】
トランシーバ２１０は、第１方向への第１アンテナ２１０−１、第２方向への第２アンテナ２１０−２及び全方向への第３アンテナ２１０−３を含むことができる。例えば、第１方向はルームの外側方向で、第２方向をルームの内側方向であれば良い。
【００４９】
スイッチ部２２０は、前記第１アンテナ２１０−１、前記第２アンテナ２１０−２及び前記第３アンテナ２１０−３の活性化／非活性化をスイッチングすることができる。
【００５０】
電源部２３０は、ドアロック２００に電源を供給するための構成要素である。例えば、電源部２３０はバッテリー(bａｔｔｅｒｙ)のような別途の電源供給装置と接続され、ドアロック２００に電源を供給することができる。
【００５１】
メモリ２４０は、各種情報を記憶するための構成要素である。例えば、メモリ２４０は前記第１アンテナ２１０−１、前記第２アンテナ２１０−２及び前記第３アンテナ２１０−３の活性化／非活性化を制御する方法に対するプログラムを記憶することができる。
【００５２】
又は、メモリ２４０はトランシーバ２１０を介して受信されたユーザのモバイル端末のＩＤのような識別情報を記憶することもできる。
【００５３】
一方、制御部２５０は、ドアロック２００を全般的に制御するための構成要素である。
【００５４】
制御部２５０は、前記第３アンテナ２１０−３を活性化して全方向で通信を行う間に、第１方向に位置するモバイル端末に対して第１イベントが発生すると、前記第３アンテナ２１０−３を非活性化して前記第２アンテナ２１０−２を活性化するように前記スイッチ部２２０を制御することができる。
【００５５】
制御部２５０は、前記第２アンテナが活性化され、前記モバイル端末が前記第２方向で移動したことで判断されると、ドアロック２００の状態を第１状態から第２状態に遷移するように制御することができる。
【００５６】
そして、制御部２５０は、前記第２アンテナ２１０−２が活性化され、前記モバイル端末が第２方向で移動したことで判断されると、前記第２アンテナ２１０−２を非活性化し、前記第３アンテナ２１０−３を活性化するように制御することができる。
【００５７】
例えば、制御部２５０は、前記第２アンテナ２１０−２が活性化され、前記モバイル端末から前記第２アンテナ２１０−２を介してコンファームメッセージ(ｃｏｎｆｉｒｍ ｍｅｓｓａｇｅ)が受信されると、前記モバイル端末が前記第２方向で移動したことで判断することができる。したがって、制御部２５０は前記第２アンテナ２１０−２を非活性化して前記第３アンテナ２１０−３を活性化するように制御することができる。
【００５８】
具体的に、第１方向はルームの外側方向であり、第２方向はルームの内側方向であれば良い。前記第３アンテナ２１０−３を活性化して全方向で通信を行う間に、制御部２５０はルームの外側方向に位置するモバイル端末に対して第１イベントが発生すると、前記第３アンテナ２１０−３を非活性化して前記第２アンテナ２１０−２を活性化するように前記スイッチ部２２０を制御することができる。
【００５９】
前記第１イベントは、ドアロック２００が前記モバイル端末からルームキー(ｒｏｏｍ ｋｅｙ)情報を前記第３アンテナ２１０−３を介して受信するイベントであれば良い。したがって、制御部２５０は前記受信されたルームキー情報に含まれたキーナンバー情報が前記電子装置に予め記憶されたキーナンバー情報とマッチングされる場合、前記第３アンテナ２１０−３を非活性化して前記第２アンテナ２１０−２を活性化するように前記スイッチ部２２０を制御することができる。
【００６０】
そして、制御部２５０は、前記第２アンテナ２１０−２が活性化され、前記モバイル端末がルームの内側へ移動することで判断されると、前記第２アンテナ２１０−２を非活性化し、前記第３アンテナ２１０−３を活性化するように制御することができる。
【００６１】
一方、制御部２５０は、前記第３アンテナ２１０−３を活性化して全方向で通信を行って前記モバイル端末が前記第２方向に位置する間に第２イベントが発生すると、前記第３アンテナ２１０−３を非活性化して前記第１アンテナ２１０−１を活性化するように前記スイッチ部２２０を制御することができる。
【００６２】
前記第２イベントはドアオープン(ｄｏｏｒ ｏｐｅｎ)イベントであることができる。したがって、ドアオープンイベント発生によって、前記第１アンテナが活性化され、前記第１アンテナを介して前記モバイル端末からスレショルド時間以内にコンファームメッセージ(ｃｏｎｆｉｒｍ ｍｅｓｓａｇｅ)が受信された場合、制御部２５０は前記第１アンテナ２１０−１を非活性化して前記第３アンテナ２１０−３を活性化するように前記スイッチ部２２０を制御することができる。
【００６３】
また、制御部２５０は、コンファームメッセージを介して前記ユーザ端末のＩＤのような識別情報を受信することができる。したがって、制御部２５０は識別された特定ユーザ端末がドアを開いて内側へ移動する情報を記憶することができる。
【００６４】
一方、制御部２５０は、スイッチ制御部２５１及び状態決定部２５２のような構成要素をさらに含むことができる。スイッチ制御部２５１及び状態決定部２５２は制御部２５０内に別途のハードウェアモジュールで具現されることができるが、これは一実施形態に過ぎないだけ、制御部２５０に含まれたメモリーに記憶されたプログラムなどで具現されることもできる。
【００６５】
スイッチ制御部２５１は、複数のアンテナのそれぞれの活性化／非活性化をスイッチングするスイッチ部２２０を制御することができる。
【００６６】
状態決定部２５２は、ドアロック２００の状態を決定することができる。例えば、以前ユーザがチェックアウトを行ってドアロック２００にチェックアウト情報が受信され、次のユーザがドアをオープンしない場合、状態決定部２５２はドアロック２００を‘ＵＳＥＲＯＵＴＳＩＤＥ’状態で決定することができる。
【００６７】
ユーザがドアをオープンし、ユーザのモバイル端末からコンファームメッセージが受信された場合、状態決定部２５２はドアロック２００を‘ＵＳＥＲ ＩＮＳＩＤＥ’状態で決定することができる。
【００６８】
一方、図３はドアロック２００のような電子装置と通信を行うモバイル端末３００の構成要素を示したブロック図である。モバイル端末３００は、スマートフォン、携帯電話、ＰＤＡ、スマートワッチ(ｓｍａｒｔ ｗａｔｃｈ)、スマートガラス(ｓｍａｒｔ ｇlａｓｓ)及びタブレットＰＣのように電子装置であれば良い。
【００６９】
図３に示されたように、モバイル端末３００は近距離トランシーバ３１０、ディスプレー部３２０、記憶部３３０及び制御部３４０を含むことができる。
【００７０】
近距離トランシーバ３１０は、外部装置と通信を行うための構成要素である。近距離(ｓｈｏｒｔ ｒａｎｇｅ)トランシーバ３１０はＷｉＦｉチップ、ブルートゥース（登録商標、以下同じ）チップ、無線通信チップ及びＮＦＣ(ｎｅａｒ ｆｉｅlｄ ｃｏｍｍｕｎｉｃａｔｉｏｎ) チップのような多様な通信モジュールを含んで外部装置と通信を行うことができる。この時、ワイパイチップ、ブルートゥースチップ、ＮＦＣチップはそれぞれのＷｉＦｉ方式、ブルートゥース方式、ＮＦＣ方式で通信を行う。ブルートゥースチップは低エネルギーブルートゥースセンサー(ＢＬＥ、ｂｌｕｅｔｏｏｔｈ ｌｏｗ ｅｎｅｒｇｙ)センサーを含むことができる。
【００７１】
近距離トランシーバ３１０は、近接(ｐｒｏｘｉｍｉｔｙ)機能を含むことができる。後述するように、モバイル端末３００はドアロック２００でキーナンバー情報を含むルームキー情報を近距離トランシーバ３１０の近接機能を用いて送信することができる。
【００７２】
ディスプレー部３２０は、各種ＵＩをディスプレーするための構成要素である。実施形態によって、ディスプレー部３２０は省略されることができる。ディスプレー部３２０はドアオープン／ロックに対するＵＩをディスプレーすることができる。例えば、モバイル端末３００を所持したユーザがドアロック２００の辺りに近付けば、ディスプレー部３２０はドアオープンＵＩをディスプレーすることができる。したがって、ユーザはディスプレーされたドアオープンＵＩを用い、容易にドアをオープンすることができるようになる。
【００７３】
記憶部３３０は、各種情報を記憶するための構成要素である。例えば、記憶部３３０はドアロック２００と通信を行ってドアオープン／ロックを制御するためのプログラムを記憶することができる。
【００７４】
制御部３４０は、モバイル端末３００を全般的に制御するための構成要素である。例えば、制御部３４０は予め設定されたイベントが発生し、電子装置から状態情報メッセージを受信する場合、前記受信された状態情報メッセージに基づいて前記近接機能の活性化／非活性化を制御して前記モバイル端末３００の状態を変更するように制御することができる。
【００７５】
具体的に、制御部３４０は前記近接機能が活性化されている間に、前記近距離トランシーバ３１０を介して電子装置とキー情報交換が行われた後、スレショルド時間内に前記電子装置から第１状態情報メッセージを受信する場合、前記近接機能を非活性化して前記モバイル端末３００の状態を第１状態に変更するように制御することができる。
【００７６】
また、制御部３４０は、前記近接機能が非活性化されている間に、前記近距離トランシーバを介して第２状態情報メッセージを受信する場合、前記モバイル端末３００の状態を第２状態に変更して前記近接機能を活性化するように制御することができる。
【００７７】
図４Ａ乃至図４Ｃは、本発明の一実施形態によって、上述したようなモバイル端末が電子装置と通信を行い、第１方向から第２方向で移動する方法を説明するための図面である。
【００７８】
以下、モバイル端末４００はユーザのスマートフォンであり、電子装置はルームのドアに設置されたドアロック２００であり、第１方向はルームの外側方向であり、第２方向をルームの内側方向である実施形態で具体的に説明する。
【００７９】
一般的な状態でドアロック２００は第３アンテナ２１０−３を活性化してドア内外の電子装置と通信を行うことができる。図４Ａに示したように、モバイル端末４００がルームの外側方向に位置した場合、ドアロック２００は活性化されている第３アンテナ２１０−３を用いてモバイル端末４００と通信を行うことができる。
【００８０】
例えば、モバイル端末４００は近距離トランシーバ３１０に含まれた近接(ｐｒｏｘｉｍｉｔｙ)機能を用いてドアロック２００と通信を行うことができる。
【００８１】
ホテルのような場所の各ルームに設置されたドアロック２００は第３ アンテナ２１０−３を介してルームナンバー情報をブロードキャストすることができる。
【００８２】
一方、ユーザはチェックイン(ｃｈｅｃｋ ｉｎ)を実行しながらモバイル端末４００にルームナンバー情報を含むルームキー情報を記憶することができる。例えば、前記ホテルアプリケーションを介してモバイル端末４００はチェックインしたルームのドアを開くことができるルームキーを記憶することができる。
【００８３】
モバイル端末４００を所持したユーザがチェックインしたルームに隣接すると、モバイル端末４００はＢＬＥセンサーの近接機能を介してドアロック２００が送信するルームナンバー情報を受信することができる。ドアロック２００から受信されたルームナンバー情報とチェックイン時に記憶されたルームナンバー情報が一致することで判断されると、モバイル端末４００はルームキー情報を前記ドアロック２００へ送信することができる。
【００８４】
ドアロック２００は、第３アンテナが活性化されている状態で、ルーム外側方向から送信されるルームキー情報を受信することができる。ドアロック２００はルームキー情報が受信されると、ドアをオープンすることができる。そして、ドアロック２００は状態を‘ＵＳＥＲ ＩＮＳＩＤＥ’状態に変更することができる。
【００８５】
図４Ｂは、ユーザがドアの内側に入り、ドアがさらにロックされた後の通信状態を示した図面である。ドアロック２００は第３アンテナ２１０−３を非活性化し、第２アンテナ２１０−２に活性化することができる。ドアロック２００は第２アンテナ２１０−２を介してドアの内側に位置したモバイル端末４００と通信を行うことができる。
【００８６】
‘ＵＳＥＲ ＩＮＳＩＤＥ' 状態であるドアロック２００は‘Ｒｏｏｍ_ｎｕｍｂｅｒ_ＩＮ’情報を第２アンテナ２１０−２を介して送信することができる。ドアロック２００はスレショルド時間(例えば、１−２秒)間の‘Ｒｏｏｍ_ｎｕｍｂｅｒ_ＩＮ’情報を送信することができる。ドアがオープンされてユーザがドアの内側に入らない場合も存在することができるので、ドアロック２００はドアの内側にモバイル端末４００が移動したン場合にだけ‘Ｒｏｏｍ_ｎｕｍｂｅｒ_ＩＮ' 情報を受信することができるように、短い時間の間だけ‘Ｒｏｏｍ_ｎｕｍｂｅｒ_ＩＮ’情報を送信するようになる。
【００８７】
ドアの内側に位置したモバイル端末４００が‘Ｒｏｏｍ_ｎｕｍｂｅｒ_ＩＮ' 情報を近距離トランシーバ３１０の近接機能を用いて受信すると、モバイル端末４００の状態が ‘ＩＮＳＩＤＥ' 状態に変更されることができる。そして、モバイル端末４００は近接機能を非活性化することができる。
【００８８】
モバイル端末４００は、近接機能を用いてモバイル端末４００がブロードキャストするルームナンバー情報を受信することができる。したがって、ルームの内側に位置する間に近接機能が活性化されているようになれば、モバイル端末４００は前記ルームナンバー情報を受信してポップアップをディスプレーしたり、アラームが鳴らしたりドアが自動にオープンされることもできる。  
【００８９】
したがって、ユーザがルームの内に位置する間にはドアロック２００が送信するルームナンバー情報を受信しないようにモバイル端末４００は近接機能を非活性化することができる。
【００９０】
また、モバイル端末４００はコンファームメッセージ(ｃｏｎｆｉｒｍ ｍｅｓｓａｇｅ)をドアロック２００へ送信することもできる。
【００９１】
前記コンファームメッセージを受信したドアロック２００は第２アンテナ２１０−２を非活性化し、第３アンテナ２１０−３を活性化することができる。そして、ドアロック２００は第３アンテナ２１０−３を介して更にルームナンバー情報をブロードキャストすることができる。
【００９２】
一方、ドアロック２００がモバイル端末４００からコンファームメッセージ(ｃｏｎｆｉｒｍ ｍｅｓｓａｇｅ)を受信することは一実施形態に過ぎないだけ、ドアロック２００はコンファームメッセージが受信されなくてもドアがオープンされ、スレショルド時間以後に第２アンテナ２１０−２を非活性化し、第３アンテナ２１０−３を活性化することができる。
【００９３】
図５Ａ乃至図５Ｃは、本発明の一実施形態によるモバイル端末が電子装置と通信を行って、第２方向から第１方向で移動する方法を説明するための図面である。
【００９４】
図５Ａに示したように、ドアの内側に位置するモバイル端末４００はユーザ操作によってドアオープンコマンドをドアロック２００へ送信することができる。さらに、ドアオープンコマンドはユーザによってドアロック２００に直接入力されることもできる。
【００９５】
第３アンテナ２１０−３が活性化されているドアロック２００は、ドアが開いてからさらに閉まる操作が検出された場合、ドアロック２００の状態を‘ＵＳＥＲ_ＯＵＴＳＩＤＥ’に変更し、第３アンテナ２１０−３を非活性化して第１アンテナ２１０−１を活性化することができる。
【００９６】
そして、ドアロック２００は第１アンテナ２１０−１を介して‘Ｒｏｏｍ＿ｎｕｍｂｅｒ＿ＯＵＴ’ 情報をドアの外側方向へ送信することができる。
【００９７】
図５Ｂに示したように、モバイル端末４００がドアの外側に移動された場合、モバイル端末４００はドアの外側に送信される‘Ｒｏｏｍ＿ｎｕｍｂｅｒ＿ＯＵＴ’情報を受信することができる。そして 、‘Ｒｏｏｍ＿ｎｕｍｂｅｒ＿ＯＵＴ' 情報を受信したモバイル端末４００は状態を‘ＯＵＴＳＩＤＥ’状態で変更し、近距離トランシーバ３１０の近接機能をさらに活性化することができる。‘ＯＵＴＳＩＤＥ’状態で変更されたモバイル端末４００はコンファームメッセージをドアロック２００へ送信することができる。
【００９８】
コンファームメッセージを受信したドアロック２００は‘Ｒｏｏｍ＿ｎｕｍｂｅｒ＿ＯＵＴ’情報の送信を中断することができる。そして、図５Ｃに示したように、ドアロック２００は第１アンテナ２１０−１を非活性化し、第３アンテナ２１０−３を活性化することができる。ドアロック２００はさらに第３アンテナ２１０−３を介してルームナンバー情報をブロードキャストすることができる。
【００９９】
一方、ドアが開いてから閉まったがモバイル端末４００がドアの外側に移動しない場合、ドアロック２００は第１アンテナ２１０−１を介してコンファームメッセージを受信することができる。したがって、ドアロック２００は状態を‘ＵＳＥＲ_ＯＵＴＳＩＤＥ’でさらに‘ＵＳＥＲ_ＩＮＳＩＤＥ’に変更することができる。
【０１００】
以下、図６乃至図１０を参照し、電子装置及びモバイル端末間の制御方法に対して説明する。
【０１０１】
図６は、電子装置の制御方法を示したフローチャートである。先ず、段階Ｓ６００で電子装置は第３アンテナを活性化して全方向で通信を行うことができる。本発明の一実施形態によって電子装置がホテルの各ルームのドアに設置されたドアロックの場合、電子装置は第３アンテナを活性化してドアの内外側に位置した電子装置と通信を行うことができる。
【０１０２】
段階Ｓ６１０で電子装置は第１方向に位置したモバイル端末に対して第１イベントが発生するか否かを判断することができる。本発明の一実施形態によって第１方向はホテルのルームのドアに外側方向であれば良い。
【０１０３】
そして、第１イベントは電子装置がブロードキャストしたルームナンバー情報とモバイル端末に予め記憶されたルームナンバー情報が一致することで判断され、モバイル端末が電子装置でルームキー情報を送信するイベントであることができる。具体的に、ユーザはチェックイン(ｃｈｅｃｋｉｎ)を実行しながらモバイル端末にルームナンバー情報を含むルームキー情報を記憶することができる。例えば、前記ホテルアプリケーションを介してモバイル端末にチェックインしたルームのドアを開くことができるルームキーが記憶されることができる。
【０１０４】
モバイル端末を所持したユーザがチェックインしたルームに隣接すると、モバイル端末はＢＬＥセンサーの近接機能を介してドアロックが送信するルームナンバー情報を受信することができる。ドアロックから受信されたルームナンバー情報とチェックイン時、記憶されたルームナンバー情報が一致することで判断されると、モバイル端末はルームキー情報を前記ドアロックで送信することができる。
【０１０５】
上述したような第１イベントが発生したことで判断されると、段階Ｓ６２０で電子装置は第３アンテナを非活性化し、第２アンテナを活性化することができる。
【０１０６】
図７は、本発明の一実施形態によってドアロックで具現された電子装置がモバイル端末と通信を行い、モバイル端末を所持したユーザがルームの内側へ移動する方法を示したフローチャートである。
【０１０７】
段階Ｓ７００でドアロックは‘Ｒｏｏｍ_ｎｕｍｂｅｒ ａｄｖｅｒｔｉｓｅｍｅｎｔ’メッセージを送信することができる。初期状態のドアロックは第３アンテナを介してドアの内外側で通信を行うことができる状態である。したがって、ドアロックは第３アンテナを用いて‘Ｒｏｏｍ_ｎｕｍｂｅｒ ａｄｖｅｒｔｉｓｅｍｅｎｔ’メッセージを送信することができる。
【０１０８】
段階Ｓ７１０でモバイル端末からルームキー(ｒｏｏｍ ｋｅｙ)情報が受信され、段階Ｓ７２０でルームキー認証に成功した場合、ドアロックはドアをオープンすることができる(段階Ｓ７３０)。
【０１０９】
具体的に、ドアロックが第３アンテナを用いて送信した‘Ｒｏｏｍ_ｎｕｍｂｅｒ ａｄｖｅｒｔｉｓｅｍｅｎｔ’メッセージはルームナンバー情報が含まれることができる。ドアロックの辺りに近付いたモバイル端末は予め記憶されたルームナンバー情報と受信された‘Ｒｏｏｍ_ｎｕｍｂｅｒ ａｄｖｅｒｔｉｓｅｍｅｎｔ’メッセージのルームナンバー情報を比べることができる。比較結果、予め記憶されたルームナンバー情報と受信された‘Ｒｏｏｍ_ｎｕｍｂｅｒ ａｄｖｅｒｔｉｓｅｍｅｎｔ’メッセージのルームナンバー情報が同一であるで判断されると、モバイル端末はドアロックでルームキー情報を送信することができる。
【０１１０】
ドアロックはルームキー情報を受信して認証を行い、ドアをオープンすることができる。
【０１１１】
段階Ｓ７４０でドアロックは内側方向のアンテナでスイッチングすることができる。具体的に、ドアロックは第３アンテナを非活性化し、第２アンテナを活性化することができる。
【０１１２】
段階Ｓ７５０でドアロックは第２アンテナを用い、‘Ｒｏｏｍ_ｎｕｍｂｅｒ_ＩＮ ａｄｖｅｒｔｉｓｅｍｅｎｔ’メッセージを送信することができる。例えば、ドアロックは第２アンテナを活性化してスレショルド時間の間‘Ｒｏｏｍ_ｎｕｍｂｅｒ_ＩＮ ａｄｖｅｒｔｉｓｅｍｅｎｔ’メッセージを送信することができる。‘Ｒｏｏｍ_ｎｕｍｂｅｒ_ＩＮ ａｄｖｅｒｔｉｓｅｍｅｎｔ’メッセージはルームのドアが開かれてドアの内側へ移動するユーザのモバイル端末を確認するためのメッセージであるので、ドアロックは比較的短い時間の間だけ送信することができる。
【０１１３】
そして、段階Ｓ７６０でモバイル端末からコンファームメッセージが受信されると、段階Ｓ７７０で 'ＵＳＥＲ_ＩＮＳＩＤＥ' 状態に遷移することができる。
【０１１４】
‘ＵＳＥＲ_ＩＮＳＩＤＥ’ 状態のドアロックは、段階Ｓ７８０で両方向アンテナでスイッチングする。例えば、ドアロックは第２アンテナを非活性化し、第３アンテナを活性化することができる。
【０１１５】
ドアロックが上述した動作を行う間に、モバイル端末は図８に示されたような手順の動作を行うことができる。
【０１１６】
段階Ｓ８００でモバイル端末はルームナンバー情報を含むルームキー情報が入力されることができる。例えば、ユーザがホテルにチェックインする間に、ルームキー情報はホテル職員によって入力されることができる。
【０１１７】
段階Ｓ８１０で‘Ｒｏｏｍ_ｎｕｍｂｅｒ ａｄｖｅｒｔｉｓｅｍｅｎｔ’メッセージが受信されると、段階Ｓ８２０で、モバイル端末は受信された‘Ｒｏｏｍ_ｎｕｍｂｅｒ ａｄｖｅｒｔｉｓｅｍｅｎｔ’に含まれたルームナンバー情報と予め入力されたルームナンバー情報が同一であるかを判断することができる。
【０１１８】
判断結果、受信された‘Ｒｏｏｍ_ｎｕｍｂｅｒ ａｄｖｅｒｔｉｓｅｍｅｎｔ’に含まれたルームナンバー情報と予め入力されたルームナンバー情報が同一である場合、モバイル端末は段階Ｓ８３０でドアロックでルームキー情報を送信することができる。
【０１１９】
そして、モバイル端末は段階Ｓ８４０で‘Ｒｏｏｍ_ｎｕｍｂｅｒ_ＩＮ ａｄｖｅｒｔｉｓｅｍｅｎｔ’メッセージが受信された場合、段階Ｓ８５０でモバイル端末の状態を‘ＩＮＳＩＤＥ’状態に遷移することができる。
【０１２０】
‘ＩＮＳＩＤＥ’状態となったモバイル端末は段階Ｓ８６０でコンファームメッセージをドアロックへ送信することができる。そして、モバイル端末は段階Ｓ８７０で近距離トランシーバに含まれた近接機能を終了することができる。
【０１２１】
一方、上述した動作はモバイル端末又はモバイル端末を所持したユーザがドアロックから一定距離内に位置する場合、自動に行われることができる。
【０１２２】
図１５Ａに示したように、モバイル端末１５００はドアロック２００及びモバイル端末１５００間の距離（ｄ）によってドアオープン動作を行うことができる。
【０１２３】
例えば、モバイル端末１５００は低エネルギーブルートゥースセンサー(ＢＬＥ)を介してドアロック２００が送信するａｄｖｅｒｔｉｓｅｍｅｎｔメッセージを受信することができる。そして、モバイル端末１５００は受信されたメッセージの信号強度(例えば、受信信号強度インジケータ(Ｒｅｃｅｉvｅｄ Ｓｉｇｎａl  Ｓｔｒｅｎｇｔｈ Ｉｎｄｉｃａｔｏｒ、ＲＳＳＩ))を測定することができる。
【０１２４】
モバイル端末１５００は図１５Ｂに示したような予め記憶された情報を用い、モバイル端末１５００及びドアロック２００がスレショルド距離以内に該当する信号強度が測定されたことで判断されると、ドアオープン動作を行うことができる。
【０１２５】
例えば、モバイル端末１５００はモバイル端末１５００及びドアロック２００間の距離が、図１５Ｂに示したような、スレショルド距離(ｄｔｈ)以内であることで判断されると、ユーザがチェックインを行ったホテルのアプリケーションを行うことができる。
【０１２６】
図１６を参照し、具体的なモバイル端末１５００の動作を説明する。先ず、段階Ｓ１６００で、モバイル端末は‘Ｒｏｏｍ_ｎｕｍｂｅｒ ａｄｖｅｒｔｉｓｅｍｅｎｔｍｅｓｓａｇｅ’を受信することができる。例えば、モバイル端末は低エネルギーブルートゥースセンサー(ＢＬＥ)を介してドアロックが送信する ‘Ｒｏｏｍ_ｎｕｍｂｅｒ ａｄｖｅｒｔｉｓｅｍｅｎｔｍｅｓｓａｇｅ’を受信することができる。
【０１２７】
段階Ｓ１６１０でモバイル端末は受信された‘Ｒｏｏｍ_ｎｕｍｂｅｒ ａｄｖｅｒｔｉｓｅｍｅｎｔ'に含まれたルームナンバー情報と予め入力されたルームナンバー情報が同一であるかを判断することができる。
【０１２８】
判断結果、受信された‘Ｒｏｏｍ_ｎｕｍｂｅｒ ａｄｖｅｒｔｉｓｅｍｅｎｔ’に含まれたルームナンバー情報と予め入力されたルームナンバー情報が同一である場合、モバイル端末は段階Ｓ１６２０で受信されたメッセージの受信信号強度インジケータ(ＲＳＳＩ)を測定することができる。
【０１２９】
一般的に受信信号強度インジケータ(ＲＳＳＩ)は信号を送受信した装置間の距離が近いほど大きくなる。したがって、モバイル端末は、段階Ｓ１６３０で前記測定されたＲＳＳＩ値が予め設定されたスレショルド値より大きいか判断することができる。
【０１３０】
判断結果、前記測定されたＲＳＳＩ値が予め設定されたスレショルド値を超過する場合、段階Ｓ１６４０でモバイル端末はドアロックでルームキー情報を送信することができる。
【０１３１】
そして、モバイル端末は段階１６５０で‘Ｒｏｏｍ_ｎｕｍｂｅｒ_ＩＮ ａｄｖｅｒｔｉｓｅｍｅｎｔ’メッセージが受信された場合、段階Ｓ１６６０でモバイル端末の状態を‘ＩＮＳＩＤＥ’状態に遷移することができる。
【０１３２】
‘ＩＮＳＩＤＥ’状態となったモバイル端末は段階Ｓ１６７０でコンファームメッセージをドアロックへ送信することができる。そして、モバイル端末は段階Ｓ１６８０で近距離トランシーバに含まれた近接機能を終了することができる。
【０１３３】
上述したように、モバイル端末は受信されたメッセージのＲＳＳＩを測定することによってモバイル端末及びドアロックの距離がスレショルド距離より近くなれば自動でドアオープン動作を行うことができるようになる。
【０１３４】
一方、図９は本発明の一実施形態によってドアロックで具現された電子装置がモバイル端末と通信を行って、ルームの内側に位置したユーザがルームの外側に移動する方法を示したフローチャートである。
【０１３５】
段階Ｓ９００でドアロックは‘Ｒｏｏｍ_ｎｕｍｂｅｒ ａｄｖｅｒｔｉｓｅｍｅｎｔ’ メッセージを送信することができる。ドアロックは全方向の第３アンテナを活性化し、‘Ｒｏｏｍ_ｎｕｍｂｅｒ ａｄｖｅｒｔｉｓｅｍｅｎｔ’メッセージを送信することができる。
【０１３６】
段階Ｓ９１０でドアオープンが検出されると、段階Ｓ９２０でドアロックは外側方向のアンテナにスイッチングすることができる。具体的に、ドアロックは全方向の第３アンテナを非活性化し、外側方向の第１アンテナを活性化することができる。
【０１３７】
そして、段階Ｓ９３０でドアロックは第１アンテナを介して‘Ｒｏｏｍ＿ｎｕｍｂｅｒ＿ＯＵＴａｄｖｅｒｔｉｓｅｍｅｎｔ’ メッセージを送信することができる。
【０１３８】
段階Ｓ９４０で、ドアの外側に移動されたモバイル端末から第１アンテナを介してコンファームメッセージが受信されると、段階Ｓ９５０でドアロックは状態を‘ＵＳＥＲ_ＯＵＴＳＩＤＥ’状態に遷移することができる。
【０１３９】
そして、段階Ｓ９６０でドアロックは両方向アンテナにスイッチングすることができる。例えば、ドアロックは外側方向の第１アンテナを非活性化し、全方向の第３アンテナを活性化することができる。
【０１４０】
第３アンテナを活性化した後、ドアロックは前記第３アンテナを介して‘Ｒｏｏｍ_ｎｕｍｂｅｒ ａｄｖｅｒｔｉｓｅｍｅｎｔ’メッセージをブロードキャストすることができる。
【０１４１】
一方、ドアロックが上述した動作を行う間、モバイル端末は図１０に示したような手順の動作を行うことができる。
【０１４２】
先ず、段階Ｓ１０００でモバイル端末はドアオープンコマンドが入力されることができる。本発明の一実施形態によって段階Ｓ１０００は省略されることもできる。例えば、ユーザがドアロックに直接ドアオープンコマンドを入力する場合に、モバイル端末はドアオープンコマンドが入力されないこともある。
【０１４３】
段階Ｓ１０１０でモバイル端末は‘Ｒｏｏｍ＿ｎｕｍｂｅｒ＿ＯＵＴａｄｖｅｒｔｉｓｅｍｅｎｔ’メッセージを受信した場合、段階Ｓ１０２０でモバイル端末は状態を‘ＯＵＴＳＩＤＥ’状態に遷移することができる。
【０１４４】
段階Ｓ１０３０でモバイル端末は‘ＯＵＴＳＩＤＥ’状態となったことを通知するためのコンファームメッセージをドアロックへ送信し、段階Ｓ１０４０でモバイル端末は近接機能を行うことができる。
【０１４５】
具体的に、モバイル端末はルームのドアの外側に移動されたので、ドアロックがブロードキャストする‘Ｒｏｏｍ_ｎｕｍｂｅｒ ａｄｖｅｒｔｉｓｅｍｅｎｔ’メッセージが受信されると、ドアオープン ＵＩをディスプレーする方法などによってユーザにドアを開けることができるという情報を通知すべきである。したがって、ドアロックの隣に近付いた場合、‘Ｒｏｏｍ_ｎｕｍｂｅｒ ａｄｖｅｒｔｉｓｅｍｅｎｔ’メッセージを受信するために近接機能を行うことができる。
【０１４６】
一方、以下では複数のモバイル端末が存在する場合に対して説明する。
【０１４７】
図１１Ａ乃至図１１Ｃは、本発明の一実施形態による第１モバイル端末１１００がルームの内側に位置する間に、第２モバイル端末１１１０がドアロック２００と通信を行い、ルームの外側から内側に移動する方法を説明するための図面である。
【０１４８】
ドアロック２００は全方向の第３アンテナを活性化している。そして、ドアロック２００は‘Ｒｏｏｍ_ｎｕｍｂｅｒ ａｄｖｅｒｔｉｓｅｍｅｎｔ’ メッセージをブロードキャストすることができる。
【０１４９】
第２モバイル端末１１１０からルームキーが入力されてドアロック２００が開かれた場合ではない、第１モバイル端末１１００又はドアロック２００を介して直接ドアオープンコマンドが入力された場合を例える。
【０１５０】
ドアが開いてから閉まるようになれば、図１１Ｂに示したように、ドアロック２００は全方向の第３アンテナを非活性化し、第１アンテナを活性化することができる。ドアロック２００はドアがオープンされた理由がユーザがルームの内に入るためであるか出るためであるか分からない。したがって、ドアロック２００は一応、ルームの外側方向の第１アンテナを活性化するようになる。
【０１５１】
ドアロック２００は第１アンテナを介してコンファームメッセージが受信されない場合、図１１Ｃに示したように、ドアロック２００は第１アンテナを非活性化し、第２アンテナを活性化することができる。
【０１５２】
ドアロック２００は第２アンテナを介して、ドアの内側に存在する第１モバイル端末１１００及び第２モバイル端末１１１０のうちの少なくとも一つでドアの開／閉を通知する情報を送信することができる。
【０１５３】
ドアの開／閉を通知する情報を受信した第１モバイル端末１１００又は第２モバイル端末１１１０は、ディスプレー部にドアロック２００で受信された情報をＵＩにディスプレーしたりアラームを鳴らしたり、各モバイル端末の外部に付着したＬＥＤを発光するように制御することができる。
【０１５４】
したがって、ユーザの意図に反してドアが開いた場合にも、ユーザはドアの開／閉事実をすぐ分かるようになる。
【０１５５】
一方、図１２Ａ及び図１２Ｂは、本発明の一実施形態による第１モバイル端末１１００及び第２モバイル端末１１１０がドアの内側に位置する間に、第２モバイル端末１１１０がドアの内側からドアの外側に移動する方法を説明するための図面である。
【０１５６】
ドアロック２００を介して第１モバイル端末１１００及び第２モバイル端末１１１０のそれぞれがドアを開いてドアの内に入って行った場合、又は第１モバイル端末１１００及び第２モバイル端末１１１０それぞれがドアの内側でコンファームメッセージを送信した場合、ドアが開いてから閉まればドアロック２００は全方向の第３アンテナを非活性化することができる。そして、ドアロック２００は外側方向の第１アンテナを活性化することができる。
【０１５７】
図１２Ａに示したように、第２モバイル端末１１１０だけがドアの外側に移動したので、ドアロック２００は第１アンテナを介して第２モバイル端末１１１０からだけコンファームメッセージを受信することができる。
【０１５８】
一つのモバイル端末からだけコンファームメッセージが受信されたので、図１２Ｂに示されたように、ドアロック２００は第１アンテナを非活性化して全方向の第３アンテナを活性化することができる。そして、ドアロック２００は‘Ｒｏｏｍ_ｎｕｍｂｅｒ ａｄｖｅｒｔｉｓｅｍｅｎｔ’メッセージを第３アンテナを介して全方向でブロードキャストすることができる。
【０１５９】
一方、図１３Ａ乃至図１３Ｃは、本発明の一実施形態による第１モバイル端末１１００及び第２モバイル端末１１１０が外側方向に位置する間に、任意のモバイル端末がドアロック２００と通信を行って、ドアの外側から内側に移動する方法を説明するための図面である。
【０１６０】
図１３Ａに示したようにドアロック２００は全方向の第３アンテナを活性化して‘Ｒｏｏｍ_ｎｕｍｂｅｒ ａｄｖｅｒｔｉｓｅｍｅｎｔ’メッセージを第３アンテナを介して全方向でブロードキャストすることができる。
【０１６１】
第１モバイル端末１１００及び第２モバイル端末１１１０うちのいずれか１つによってルームキー情報が送信されると、ドアがオープンされることができる。そして、図１３Ｂに示したように、ドアロック２００は第３アンテナを非活性化し、第２アンテナを活性化することができる。
【０１６２】
ドアが開く間に、第１モバイル端末１１００及び第２モバイル端末１１１０はルームの内側に移動されることができる。
【０１６３】
そして、ドアロック２００は‘Ｒｏｏｍ_ｎｕｍｂｅｒ_ＩＮ ａｄｖｅｒｔｉｓｅｍｅｎｔ’ メッセージを送信することができる。例えば、ドアロック２００は‘Ｒｏｏｍ_ｎｕｍｂｅｒ_ＩＮ ａｄｖｅｒｔｉｓｅｍｅｎｔ’メッセージをドアがさらに閉まった後、スレショルド時間のうちに、前記第２アンテナを介して送信することができる。
【０１６４】
スレショルド時間が所要となった後、又は任意のモバイル端末から第２アンテナを介してコンファームメッセージが受信された場合、ドアロック２００は、図１３Ｃに示したように、第２アンテナを非活性化し、第３アンテナを活性化することができる。そして、ドアロック２００は‘Ｒｏｏｍ_ｎｕｍｂｅｒ ａｄｖｅｒｔｉｓｅｍｅｎｔ’ メッセージを第３アンテナを介して全方向でブロードキャストすることができる。
【０１６５】
一方、図１４Ａ及び図１４Ｂは、本発明の一実施形態による第１モバイル端末１１００及び第２モバイル端末１１１０がドアの内側から同時にドアの外側に移動する方法を説明するための図面である。
【０１６６】
ドアロック２００を介して第１モバイル端末１１００及び第２モバイル端末１１１０それぞれがドアを開いてドアの内側に入った場合、又は第１モバイル端末１１００及び第２モバイル端末１１１０それぞれがドアの内側でコンファームメッセージを送信した場合、ドアが開いてから閉まればドアロック２００は全方向の第３アンテナを非活性化することができる。そして、ドアロック２００は外側方向の第１アンテナを活性化することができる。
【０１６７】
図１４Ａに示したように、第１モバイル端末１１００及び第２モバイル端末１１１０がドアの外側に移動したので、ドアロック２００は第１アンテナを介して第１モバイル端末１１００及び第２モバイル端末１１１０のそれぞれからコンファームメッセージを受信することができる。
【０１６８】
図１４Ｂに示したように、コンファームメッセージを受信したドアロック２００は第１アンテナを非活性化して全方向の第３アンテナを活性化することができる。そして、ドアロック２００は‘Ｒｏｏｍ_ｎｕｍｂｅｒ ａｄｖｅｒｔｉｓｅｍｅｎｔ’メッセージを第３アンテナを介して全方向でブロードキャストすることができる。
【０１６９】
ドアロック２００は上述した方法によってルームの内側に移動するモバイル端末がコンファームメッセージを送信する場合、又はモバイル端末が自分の識別アイディーを挿入してルームキー情報を送信する場合、各モバイル端末に対する識別情報を記憶することができる。
【０１７０】
したがって、ドアロック２００はルームの内側へ移動することで判断されて識別情報を記憶している少なくとも一つのモバイル端末からいずれも前記コンファームメッセージが受信される場合、第１アンテナを非活性化して全方向の第３アンテナを活性化することができる。
【０１７１】
第１モバイル端末１１００及び第２モバイル端末１１１０はドア外に出た後、コンファームメッセージを送信したので、‘ＯＵＴＳＩＤＥ' 状態に遷移され、近接機能を行うことができる。  
【０１７２】
一方、以上のような多様な実施形態による電子装置及びモバイル端末の制御方法を行うためのプログラムコードは非一時的なコンピュータ可読媒体(ｎｏｎ−ｔｒａｎｓｉｔｏｒｙ ｃｏｍｐｕｔｅｒ ｒｅａｄａｂｌｅ ｍｅｄｉｕｍ)に記憶されることができる。非一時的なコンピュータ可読媒体 とは、レジスター、キャッシュ、メモリなどのように短い瞬間の間データを記憶する媒体ではなく半永久的にデータを記憶し、機器による判読(ｒｅａｄｉｎｇ)が可能な媒体を意味する。具体的には、上述した多様なアプリケーション又はプログラムはＣＤ、ＤＶＤ、ハードディスク、ブルーレイディスク、ＵＳＢ、メモリカード、ＲＯＭなどのような非一時的可読媒体に記憶されて提供されることができる。
【０１７３】
さらに、以上では本発明の好ましい実施形態に対して図示して説明したが、本発明は上述した特定の実施形態で限定されるものではなく、請求範囲で請求する本発明の要旨を逸脱せず発明が属する技術分野で通常の知識を有する者によって多様な変形実施が可能なことは勿論で、このような変形実施は本発明の技術的思想や見込みから個別的に理解されてはいけないだろう。
【符号の説明】
【０１７４】
１００  電子装置
１１０−１  アンテナ
１１０−２  アンテナ
１１０−３  アンテナ
１２０  スイッチ
１３０  スイッチコントローラー
２００  ドアロック
２１０  トランシーバ
２１０−１  アンテナ
２１０−２  アンテナ
２１０−３  アンテナ
２２０  スイッチ部
２３０  電源部
２４０  メモリ
２５０  制御部
２５１  スイッチ制御部
２５２  状態決定部
３００  モバイル端末
３１０  近距離トランシーバ
３２０  ディスプレー部
３３０  記憶部
３４０  制御部
４００  モバイル端末
１１００  モバイル端末
１１１０  モバイル端末
１５００  モバイル端末
【図１ａ】
2018536329.tif 000003
【図１ｂ】
2018536329.tif 000004
【図２】
2018536329.tif 000005
【図３】
2018536329.tif 000006
【図４ａ】
2018536329.tif 000007
【図４ｂ】
2018536329.tif 000008
【図４ｃ】
2018536329.tif 000009
【図５ａ】
2018536329.tif 000010
【図５ｂ】
2018536329.tif 000011
【図５ｃ】
2018536329.tif 000012
【図６】
2018536329.tif 000013
【図７】
2018536329.tif 000014
【図８】
2018536329.tif 000015
【図９】
2018536329.tif 000016
【図１０】
2018536329.tif 000017
【図１１ａ】
2018536329.tif 000018
【図１１ｂ】
2018536329.tif 000019
【図１１ｃ】
2018536329.tif 000020
【図１２ａ】
2018536329.tif 000021
【図１２ｂ】
2018536329.tif 000022
【図１３ａ】
2018536329.tif 000023
【図１３ｂ】
2018536329.tif 000024
【図１３ｃ】
2018536329.tif 000025
【図１４ａ】
2018536329.tif 000026
【図１４ｂ】
2018536329.tif 000027
【図１５Ａ】
2018536329.tif 000028
【図１５Ｂ】
2018536329.tif 000029
【図１６】
2018536329.tif 000030
【国際調査報告】
2018536329.tif 000031
2018536329.tif 000032